(57)【要約】【課題】小物食器の乾燥性能を向上することのできる食器洗浄乾燥機及び食器乾燥機を提供する。【解決手段】小物食器１５が入れられて洗浄槽１内に収容される小物食器かご８と、この小物食器かご８又はその一部を駆動する駆動手段１１とを備え、乾燥工程において駆動手段１１により前記小物食器かご８又はその一部を駆動して小物食器かご８内の小物食器１５を動かし、小物食器１５の表面やこれらの間に付着した水を落下させる。【選択図】図１
2008228889.tif 000002
【特許請求の範囲】
【請求項１】
小物食器が入れられて洗浄槽内に収容される小物食器かごと、該小物食器かご又はその一部を駆動する駆動手段とを備え、乾燥工程において前記駆動手段により前記小物食器かご又はその一部を駆動して該小物食器かご内の小物食器を動かすことを特徴とする食器洗浄乾燥機。
【請求項２】
前記小物食器かごの上部枠に１又は複数の上部桟を設けたことを特徴とする請求項１記載の食器洗浄乾燥機。
【請求項３】
前記洗浄槽の側壁に駆動手段を取付け、該駆動手段に前記小物食器かごを着脱自在に装着したことを特徴とする請求項１又は２記載の食器洗浄乾燥機。
【請求項４】
前記小物食器かごを回動可能に構成し、該小物食器かごを駆動手段により反転駆動させることを特徴とする請求項１〜３のいずれかに記載の食器洗浄乾燥機。
【請求項５】
前記小物食器かごの駆動手段に、電動装置を用いたことを特徴とする請求項１〜４のいずれかに記載の食器洗浄乾燥機。
【請求項６】
前記小物食器かご又はその一部の駆動手段に、温度の変化により形状が変化する感温部材を用いたことを特徴とする請求項１又は２記載の食器洗浄乾燥機。
【請求項７】
前記小物食器かごの上部の一方の側に外方に突出する突片を設け、該突片と該小物食器かごが収容される食器かごとの間に前記感温部材を配設したことを特徴とする請求項６記載の食器洗浄乾燥機。
【請求項８】
前記小物食器かごの上部枠を水平方向にスライド可能に形成し、該上部枠と前記小物食器かごの側部枠との間に前記感温部材を配設したことを特徴とする請求項６記載の食器洗浄乾燥機。
【請求項９】
前記小物食器かごの底部に水平方向にスライド可能な中敷板を設け、該中敷板と前記小物食器かごの側部枠との間に前記感温部材を配設したことを特徴とする請求項６記載の食器洗浄乾燥機。
【請求項１０】
前記中敷板の上面に突起部を設けたことを特徴とする請求項９記載の食器洗浄乾燥機。
【請求項１１】
小物食器が入れられて洗浄槽内に収容される小物食器かごの側部枠を温度の変化により形状が変化する感温部材で構成し、乾燥工程において前記感温部材の変形により前記食器かご内の小物食器を動かすことを特徴とする食器洗浄乾燥機。
【請求項１２】
前記請求項２〜１１のいずれかの小物食器かご又は小物食器かごとその駆動手段を備えたことを特徴とする食器乾燥機。
【発明の詳細な説明】
【技術分野】
【０００１】
本発明は、一般家庭で用いられる食器洗浄乾燥機及び食器乾燥機に係り、より詳しくは、箸やスプーンなどの小物食器の乾燥性能を向上させることのできる小物食器かごを備えた食器洗浄乾燥機及び食器乾燥機に関するものである。
【背景技術】
【０００２】
従来の食器洗浄乾燥機においては、食器類が入れられた食器かごに、箸やスプーンなどの小物食器が入れられた小物食器かごを設置して洗浄室内に収容し、洗浄、すすぎ、乾燥工程が行われていた（例えば、特許文献１参照）。
【０００３】
【特許文献１】特開平８−１６８４６１号公報（第３−４頁、図４−５）
【発明の開示】
【発明が解決しようとする課題】
【０００４】
特許文献１の食器洗浄乾燥機においては、複数個の箸やスプーンなどの小物食器が小物食器かごに入れられて、洗浄、すすぎ、乾燥工程が行われるが、すすぎ工程で使用された水が小物食器の表面やこれらの間に付着した状態で乾燥工程が行われるため、小物食器が乾燥しにくいという問題があった。
【０００５】
本発明は、上記の課題を解決するためになされたもので、乾燥工程の初期段階で小物食器かご又はその一部を動かすことにより、小物食器の表面やこれらの間に付着した水を落下させて、小物食器の乾燥性能を向上させることのできる食器洗浄乾燥機を提供することを目的としたものである。
また、洗浄したままの状態の小物食器が入れられた小物食器かご又はその一部を動かすことにより、小物食器の表面やこれらの間に付着した水を落下させて、小物食器の乾燥性能を向上させることのできる食器乾燥機を提供することを目的としたものである。
【課題を解決するための手段】
【０００６】
本発明に係る食器洗浄乾燥機は、小物食器が入れられて洗浄槽内に収容される小物食器かごと、該小物食器かご又はその一部を駆動する駆動手段とを備え、乾燥工程において前記駆動手段により前記小物食器かご又はその一部を駆動して該小物食器かご内の小物食器を動かすようにしたものである。
また、本発明に係る食器乾燥機は、上記の小物食器かご又は小物食器かごと駆動手段を備えたものである。
【発明の効果】
【０００７】
本発明に係る食器洗浄乾燥機は、乾燥工程の初期段階で小物食器かご又はその一部を動かして、洗浄工程において小物食器の表面やこれらの間に付着した水を落下させるようにしたので、小物食器の乾燥性能を向上させることができる。
また、本発明に係る食器乾燥機は、洗浄したままの状態で小物食器が入れられた小物食器かご又はその一部を動かして、小物食器の表面やこれらの間に付着した水を落下させるようにしたので、乾燥性能を向上させることができる。
【発明を実施するための最良の形態】
【０００８】
［実施の形態１］
図１は本発明の実施の形態１に係る小物食器かごを備えた食器洗浄乾燥機の要部の説明図である。
図において、食器洗浄乾燥機の洗浄槽１の底部には洗浄工程及びすすぎ工程で使用する水を溜める貯水槽２が設けられており、貯水槽２内には、洗浄、すすぎ水を加熱し、乾燥工程において洗浄槽１内の空気を加熱する加熱ヒータ３が配設されている。また、洗浄槽１の下部には、洗浄、すすぎ工程で使用する水を噴射する洗浄ノズル４が配設されている。
【０００９】
５は洗浄する食器類７が収容されて洗浄槽１内に出し入れ自在に収納される食器かごで、一方の側には後述の小物食器かご８が着脱自在に設置される小物食器かご設置部６が設けられている。
８は洗浄する箸やスプーンなどの小物食器類１５を収容する小物食器かごで、その一方の側（洗浄槽１の側枠に近い側）の上部枠には突片９が設けられており、上部枠の中央部には仕切り桟１０が設けられている。
【００１０】
また、小物食器かご８の近傍において、洗浄槽１の側壁の外面側には小物食器かご８の駆動手段であるモータ１１が設けられており、側壁から洗浄槽１内に突出したモータ１１の出力軸１２の先端部には、小物食器かご８の突片９に摺接するカム１３が設けられている。１４は洗浄槽１の上部に設けた蒸気排出口である。なお、図示してないが、洗浄槽１の下部には、洗浄、すすぎ工程において、貯水槽２内の水を洗浄ノズル４へ圧送する洗浄ポンプ、洗浄、すすぎ後の水を外部に排水する排水ポンプなどが設けられている。
【００１１】
上記のように構成した食器洗浄乾燥機において、食器類７を洗浄し乾燥する場合は、先ず、箸やスプーンなどの小物食器１５が入れられて、その上部が仕切り桟１０にほぼ垂直状態で支えられた小物食器かご８を食器かご５の小物食器かご設置部６に設置し、ついで食器類７が入れられた食器かご５を洗浄槽１内に収容してドア（図示せず）を閉じる。そして、操作パネル（図示せず）に設けた電源スイッチをＯＮすると、食器洗浄乾燥機が運転を開始する。
【００１２】
先ず、洗浄工程が行われ、貯水槽２に溜められた洗浄水が洗浄ポンプにより洗浄ノズル４に圧送されて噴射し、食器類７や小物食器１５に激しく当り、これらに付着した物を除去して貯水槽２に戻り、加熱ヒータ３により加熱されて温水（例えば、６０℃程度）となり、再び洗浄ポンプにより圧送されて洗浄ノズル４から噴射する。このようにして洗浄を繰り返えす。
【００１３】
所定時間経過して洗浄工程が終了すると、貯水槽２に溜った洗浄水は排水ポンプにより外部に排出され、新らしい水（すすぎ水）が貯水槽２に蓄えられる。そして、洗浄工程の場合と同様に、ヒータ３で加熱された貯水槽２内のすすぎ水が洗浄ノズル４から噴射して、食器類７や小物食器１５に激しく当り、すすぎ工程が開始される。このようなすすぎ工程は、すすぎ水をとり代えて同様な動作が数回繰り返えされる。なお、すすぎ工程においては、次の乾燥工程における乾燥性能を向上させるために、最終のすすぎ水の温度を高くして（例えば７０℃〜８０℃程度）行われる。
【００１４】
所定の時間経過してすすぎ工程が終了すると、貯水槽２内のすすぎ水が排出され、加熱ヒータ３により洗浄槽１内の空気が加熱（例えば、５０℃未満）されて乾燥工程が開始され、食器類７及び小物食器１５を乾燥する。これによって発生した蒸気は蒸気排出口１４から排出される。
【００１５】
乾燥工程が開始されるとモータ１１が駆動され、出力軸１２の先端部に設けたカム１３が回転し、カム１３が摺接する小物食器かご８の突片９を上方に移動させる。これにより、図２に示すように、小物食器かご８は突片９の反対側の下端部を支点として傾斜し、収容された小物食器１５が反対方向に傾斜して姿勢を変化させる。この動作は、乾燥工程中に１回行ってもよくあるいはモータ１１を間欠的に回転させて複数回繰り返えしてもよい。所定時間経過すると乾燥工程が終り、食器類７及び小物食器１５の洗浄、すすぎ及び乾燥が終了する。なお、上述の洗浄、すすぎ、乾燥（小物食器かご８の作用を除く）の各工程の作用は、以下の各実施の形態においても同様である。
【００１６】
上記の説明では、小物食器かご８の駆動手段としてモータ１１とこれに設けたカム１３を用いた場合を示したが、これに限定するものではなく、例えばプランジャの如く小物食器かご８の突片９を上昇、下降しうるものであれば、他の電動装置を用いてもよい。
【００１７】
本実施の形態によれば、乾燥工程中に小物食器かご８の設置状態を変える（動かす）ことにより、これに入れられた小物食器１５の姿勢を変えて、これらの表面及び間に付着した水を落下させるようにしたので、小物食器１５の乾燥性能を向上することができる。
また、小物食器かご８の駆動手段としてモータ１１などの電動装置を用いたので、小物食器かご８を任意の回数動かすことができるため、小物食器１５の表面やこれらの間に付着した大部分の水を除去することができる。
【００１８】
さらに、洗浄槽１の側壁に駆動手段であるモータ１１を取付けて、このモータ１１に洗浄槽１内から小物食器かご８を着脱自在に連結するようにしたので、小物食器１５を入れてから小物食器かご８を食器かご５内に設置して洗浄槽１内に収容できるため、これら一連の操作がきわめて容易で、使い勝手のよい食器洗浄乾燥機を得ることができる。
また、小物食器かご８の上部枠に仕切り桟１０を設けたので、小物食器１５を傾きすぎることなくほぼ垂直状態で収納できるため、乾燥工程の初期段階で小物食器１５を確実に動かすことができる。
【００１９】
［実施の形態２］
図３は本発明の実施の形態２に係る小物食器かごを備えた食器洗浄乾燥機の要部の説明図である。なお、実施の形態１と同じ部分にはこれと同じ符号を付し、説明の一部を省略する。
本実施の形態は、洗浄槽１の外壁面に設けられた駆動手段であるモータ１１の外壁から洗浄槽１内に突出した出力軸１２に、小物食器かご８を着脱自在に連結したものである。このため、食器かご５には小物食器かご設置部６が設けられていない。なお、小物食器かご８の構造は実施の形態１の場合とほぼ同様であるが、上部枠に設けた突片９は省略されており、また、図４に示すように、上部枠に縦横複数の仕切り桟１０を設けた場合が示してある。
【００２０】
食器類７や小物食器１５の洗浄、乾燥にあたっては、先ず、箸やスプーンなどの小物食器１５が収容された小物食器かご８を、モータ１１の出力軸１２に連結し、ついで、食器類７が収容された食器かご５を洗浄槽１内に収納する。
洗浄工程、すすぎ工程が終って乾燥工程が開始されると、モータ１１を反転駆動し、図４に示すように、出力軸１２を中心として小物食器かご８を前後に揺動させ、小物食器１５の姿勢を変えて小物食器１５の表面やこれらの間に付着した水を落下させる。このような動作は、乾燥工程中１回又は複数回行われる。
本実施の形態は、実施の形態１の場合とほぼ同様の効果を得ることができる。
【００２１】
［実施の形態３］
図５は本発明の実施の形態３に係る小物食器かごを備えた食器洗浄乾燥機の要部の説明図である。なお、実施の形態１と同じ部分にはこれと同じ符号を付し説明を省略する。
本実施の形態における洗浄槽１及び食器かご５の構成は実施の形態１の場合と同じである。
【００２２】
小物食器かご８は、図６に示すように、水切り穴を有する円板状の底板１６と、下端部が底板１６に固定された複数の縦枠１７と、下面に歯車（図示せず）が設けられて縦枠１７の上端部に取付けられたリング状の天枠１８と、底板１６と天枠１８との間において縦枠１７に固定されたリング状の補強枠１９と、天枠１８の径方向に設けられた仕切り桟１０とからなっている。なお、天枠１８の下面に設けた歯車は、天枠１８の全周に設けてもよく、あるいは一部に設けてもよい。
また、洗浄槽１の外壁面に設けられたモータ１１の洗浄槽１内に突出した出力軸１２には、小物食器かご８の天枠１８に設けた歯車と噛合う歯車２０が設けられている。
【００２３】
食器類７や小物食器１５の洗浄、乾燥にあたっては、先ず箸やスプーンなどの小物食器１５が収容された小物食器かご８を、食器かご５の小物食器かご設置部６に設置し、ついで食器かご５に食器類７を収容する。そして、食器かご５を洗浄槽１内に収納し、小物食器かご８の天枠１８に設けた歯車を、モータ１１の歯車２０と噛合わせる。
【００２４】
洗浄工程、すすぎ工程が終って乾燥工程が開始されると、モータ１１を反転駆動し、小物食器かご８を垂直方向に反転回動させ、小物食器１５の姿勢を変えて小物食器１５の表面やこれらの間に付着した水を落下させる。このような動作は乾燥工程中に１回又は複数回行われる。
本実施の形態は、実施の形態１の場合とほぼ同様の効果を得ることができるが、さらに、小物食器かご８に入れられた小物食器１５は、小物食器かごの反転時に捻りを受けるため、小物食器１５の表面やこれらの間に付着した水をより確実に落下させることができる。
【００２５】
［実施の形態４］
図７は本発明の実施の形態４に係る小物食器かごを備えた食器洗浄乾燥機の要部の説明図である。なお、実施の形態１と同じ部分にはこれと同じ符号を付し、説明を省略する。
実施の形態１〜３では、小物食器かご８の駆動手段として、モータ１１などの電動装置を用いた場合を示したが、本実施の形態は小物食器かご１５の駆動手段として、例えば形状記憶合金のような感温部材３０（以下の説明では、形状記憶合金を３０と記すことがある）を用いたものである。
【００２６】
図７において、３０は感温材料としてのコイル状の形状記憶合金で、小物食器かご８の突片９と食器かご５の側枠の上端部との間に介装したものである。この形状記憶合金３０は、本実施の形態においては、５０℃以上では伸張した状態、５０℃未満では収縮した状態になるように記憶させてある（以下の食器洗浄乾燥機の実施の形態においても同様である）。
【００２７】
上記のように構成した本実施の形態において、食器類７や小物食器１５を洗浄し乾燥する場合は、先ず、箸やスプーンなどの小物食器１５が入れられた小物食器かご８を食器かご５の小物食器かご設置部６に設置し、その突片９と食器かご５の側枠の上端部との間に形状記憶合金３０を介装する（なお、形状記憶合金３０は、その一端をあらかじめ食器かご５又は小物食器かご８に取付けておいてもよい）。ついで、食器かご５に食器類７を入れて洗浄槽１内に収容する。このとき、形状記憶合金３０は収縮した状態にあり、このため、小物食器かご８の底部は食器かご５の底部とほぼ平行に保持され、小物食器かご８内の小物食器１５は側部枠及び仕切り桟１０に支えられてほぼ垂直状態となっている。
【００２８】
このような食器洗浄乾燥機において、食器類７等の洗浄、すすぎ工程においては、ヒータ３で加熱された温水（例えば、６０℃以上）が洗浄ノズル４から噴出して、食器類７や小物食器１５に激しく当るが、同時に形状記憶合金３０にも５０℃以上の温水が当るため、伸張した状態に形状変化する。
これにより、小物食器かご８の突片９が形状記憶合金３０によって押し上げられ、図８に示すように、突片９の他方の側の底部を支点として傾動し、これに入れられた小物食器１５も傾いて他方の側部枠及び仕切り桟１０に支えられた状態になる。この状態はすすぎ工程が終るまで継続する。
【００２９】
すすぎ工程が終ると加熱されたすすぎ水が排出されるため洗浄槽１内の温度が下り、小物食器かご８を押上げていた形状記憶合金３０も冷えて変体温度５０℃未満となって収縮した状態に形状変化する。
このため、傾斜していた小物食器かご８は、図７に示すように元の状態に戻り、これに入れられた小物食器１５も姿勢が変化してほぼ垂直状態になるので、小物食器１５の表面やこれらの間に付着した水が落下し、乾燥性能を向上することができる。
【００３０】
本実施の形態によれば、実施の形態１の場合とほぼ同様の効果が得られるが、さらに、小物食器かご８の駆動手段として、感温部材である形状記憶合金３０を用いたので、構造が簡単であるばかりでなく、モータ等を駆動するための電力が不要になり、省エネルギに寄与することができる。
【００３１】
［実施の形態５］
図９は本発明の実施の形態５に係る食器洗浄乾燥機の小物食器かごの説明図である。
実施の形態４では、食器かご５と小物食器かご８の間に、小物食器かご１５を駆動する感温部材である形状記憶合金３０を設けた場合を示したが、本実施の形態は、小物食器かご８に感温部材である形状記憶合金３０を設けて、これに入れられた小物食器１５の姿勢を変えるようにしたものである。
【００３２】
図において、小物食器かご８の上部開口部には、複数の仕切り桟１０を有し、開口部の図の左右の幅より若干狭い幅の可動枠２１が、図の左右方向にスライド自在に設けられており、小物食器かご８の一方の側部枠８ａ（洗浄槽１の中心部側の側部枠が望ましい）と、可動枠２１との間に、約５０℃で形状変化する感温部材であるコイル状の形状記憶合金３０を介装したものである。
【００３３】
上記のような小物食器かご８を備えた食器洗浄乾燥機により、食器類７や小物食器１５を洗浄し乾燥する場合は、先ず、箸やスプーンなどの小物食器１５が入れられた小物食器かご８を食器かご５の小物食器かご設置部６に設置する。ついで食器かご５に食器類７を入れて洗浄槽１内に収容する。このとき、形状記憶合金３０は、図１０に示すように収縮した状態にあり、このため、可動枠２１は図の左方にスライドし、小物食器かご８内の小物食器１５は、実線で示すように、その上部が仕切り桟１０に支えられて図の左方に傾いた状態となっている。
【００３４】
このような小物食器かご８を備えた食器洗浄乾燥機において、食器類７等の洗浄、すすぎ工程においては、ヒータ３で加熱された温水（例えば、６０℃以上）が洗浄ノズル４から噴射して、食器類７や小物食器１５に激しく当るが、同時に形状記憶合金３０にも５０℃以上の温水が当るため、伸張した状態に形状変化する。これによって、図９に示すように、可動枠２３が図の右方にスライドし、小物食器１５も下端部を支点として図の右方に倒れ、反対側に傾いて隣接する他方の仕切り桟１０に支えられる。この状態はすすぎ工程が終る迄継続する。
【００３５】
すすぎ工程が終ってすすぎ水が排出されると、洗浄槽１内の温度が下って５０℃未満となるため、形状記憶合金３０が収縮し、これに連結された可動板２１は図の左方にスライドする。
このため、図の右方に傾斜していた小物食器１５は、図１０に示すように、下端部を支点として図の左方に倒れ、隣接する他方の仕切り桟１０に支えられる。このように、すすぎ工程が終了すると小物食器１５の姿勢が変化するので、その際表面やこれらの間に付着した水が落下するため、乾燥性能を向上することができる。
本実施の形態においても実施の形態４の場合とほぼ同様の効果を得ることができるが、さらに、小物食器かご８に直接形状記憶合金３０を設けたので、構造が簡単で小型化することができる。
【００３６】
［実施の形態６］
図１１は本発明の実施の形態６に係る食器洗浄乾燥機の小物食器かごの説明図である。
実施の形態５では、小物食器かご８の上部開口部に左右にスライド自在の可動枠２１を設け、この可動枠２１と側部枠８ａとの間に感温部材であるコイル状の形状記憶合金３０を設けた場合を示したが、本実施の形態は、小物食器かご８の底部にスライド自在の可動中敷２２を設け、この可動中敷２２と側部枠８ａとの間に形状記憶合金３０を設けたものである。
【００３７】
本実施の形態は、水切り穴を有する小物食器かご８の底部８ｂ上に、水切り穴を有し底部８ｂの左右の幅より若干狭い幅の可動中敷２２を、左右方向にスライド自在に設け、側部枠８ａと可動中敷２２との間に感温部材であるコイル状の形状記憶合金３０を介装したものである。
【００３８】
上記のような小物食器かご８を備えた食器洗浄乾燥機により、食器類７や小物食器１５を洗浄し乾燥する場合は、箸やスプーンなどの小物食器１５が入れられた小物食器かご８を食器かご５の小物食器かご設置部６に設置する。ついで、食器かご５に食器類７を入れて洗浄槽１内に収容する。このとき、形状記憶合金３０は図１２に示すように収縮しており、このため、可動中敷２２は図の右方にスライドし、小物食器かご８内の小物食器１５は、その上部が仕切り桟１０に支えられて図の左方に傾いた状態となっている。
【００３９】
食器類７等の洗浄、すすぎ工程においては、実施の形態５の場合と同様に、形状記憶合金３０に温水が当って伸張し、これにより可動中敷２２は、図１１に示すように図の左方にスライドし、小物食器１５の下端部も可動中敷２２と共に図の左方に移動するため、その上部が図の右方に倒れ、反対側に傾いて隣接する他方の仕切り桟１０に支えられる。この状態は、すすぎ工程が終るまで継続する。
【００４０】
すすぎ工程が終ってすすぎ水が排出され乾燥工程が開始されると、洗浄槽１内の温度が低下するため形状記憶合金３０が収納し、これに連結された可動中敷２２は図の右方に移動する。
このため、図の右方に傾いていた小物食器１５は、図１２に示すように、その上部が図の左方に倒れ、隣接する他方の仕切り桟１０に支えられる。このように、すすぎ工程が終了すると小物食器１５の姿勢が変化するので、その際表面やこれらの間に付着した水が落下するため、乾燥性能を向上することができる。
【００４１】
図１３は本実施の形態の他の例を示すもので、本例は可動中敷２２の上面に複数の突起部（又は奥行方向に長い突条）２３を設けたものである。
このように構成したことにより、可動中敷２２のスライドの際に突起部２３により小物食器１５の下端部を押すことができるので、小物食器１５の姿勢をより確実に変化させることができる。なお、このような突起部２３は実施の形態５の底板（下部枠）の上面に設けてもよい。
本実施の形態においても実施の形態５の場合とほぼ同様の効果を得ることができる。
【００４２】
［実施の形態７］
図１４は本発明の実施の形態７に係る食器洗浄機の小物食器かごの説明図である。
実施の形態４〜６では、感温部材を小物食器かご８と別に設けた場合を示したが、本実施の形態は、小物食器かご８を構成する材料の一部に感温部材を用いたものである。
【００４３】
本実施の形態に係る小物食器かご８は、水抜き穴を有する底板２４と、下端部が底板２４の両側に取付けられた５０℃で形状変化する形状記憶合金からなる側板３０ａと、仕切り桟１０を有し両側板３０ａの上端部に取付けられた上部枠２５と、底板２４と上部枠２５との間において、側板３０ａに取付けられた中間枠２６とからなっている。
【００４４】
上記のように構成した小物食器かご８を備えた食器洗浄乾燥機により、食器類７や小物食器１５を洗浄し乾燥する場合は、箸やスプーンなどの小物食器１５が入れられた小物食器かご８を食器かご５の小物食器かご設置部６にセットする。ついで、食器かご５に食器類７を入れて洗浄槽１内に収容する。このとき、両側板３０ａは図１４に示すように直立状態にあり、小物食器かご８内の小物食器１５は図示してないが、仕切り桟１０に支えられている。
【００４５】
食器類７等の洗浄、すすぎ工程においては、ヒータ３で加熱された温水（例えば、６０℃以上）が形状記憶合金からなる側板３０ａにかかるため、図１５に破線で示すように、図の右側に反った（曲った）状態に変化し、これに伴って小物食器１５も一方の側に傾く。この状態はすすぎ工程が終了するまで継続する。
すすぎ工程が終ってすすぎ水が排出されると、洗浄槽１内の温度が下って５０℃未満となるため、形状記憶合金からなる側板３０ａは、反った状態から図１４に示すように直立状態に戻る。これにより、一方の側に傾いていた小物食器１５は他方の側に傾いて姿勢が変化し、小物食器１５の表面やこれらの間に付着していた水が落下するので、乾燥性能を向上することができる。
本実施の形態においても実施の形態４の場合とほぼ同様の効果を得ることができるが、さらに小物食器かご８の構成材料に感温部材を用いたので、より簡単な構造となり、部品点数を減らすことができる。
【００４６】
［実施の形態８］
実施の形態１〜７においては、本発明に係る小物食器かご８を備えた食器洗浄乾燥機について説明したが、本実施の形態は、上記の小物食器かご８を、洗浄した食器類や小物食器を乾燥する食器乾燥機に実施したものである。
この場合、駆動手段としてモータ１１等を用いた実施の形態１〜３に係る小物食器かご８はそのまま食器乾燥機に実施することができる。
【００４７】
一方、駆動手段として形状記憶合金３０，３０ａを用いた実施の形態４〜７に係る小物食器かご８は、例えば、食器類等を乾燥する温風の温度未満では収縮し、この温度を超えると伸張するように記憶させておけばよい。
【００４８】
本実施の形態においては、小物食器かごに洗浄したままの状態で小物食器を入れて食器かごに設置し、洗浄したままの食器類を入れて食器乾燥機内に収納する。このとき、駆動手段として形状記憶合金３０，３０ａを用いた場合は、収縮し又は直立状態にある。
そして、スイッチをＯＮして温風を発生させる。このとき、モータ等の駆動手段を用いた場合は、小物食器かご８を傾動又は回動させて、小物食器の姿勢を変化させ、表面又はその間に付着した水を落下させる。また、駆動手段として形状記憶合金３０，３０ａを用いた場合は、温風により伸縮あるいは反って形状変化し、小物食器１５の姿勢を変化させてこれらの表面やその間に付着した水を落下させ、これにより乾燥性能を向上させることができる。
【００４９】
上記の実施の形態４〜８においては、小物食器かご８の駆動手段である感温部材に、コイル状又は板状の形状記憶合金３０，３０ａを用いた場合を示したが、これに限定するものではなく、例えばバイメタルの如くある温度で形状変化する感温部材であればよく、またその形状もコイル状に限定するものではない。
【図面の簡単な説明】
【００５０】
【図１】本発明の実施の形態１に係る小物食器かごを備えた食器洗浄乾燥機の要部の説明図である。
【図２】図１の作用説明図である。
【図３】本発明の実施の形態２に係る小物食器かごを備えた食器洗浄乾燥機の要部の説明図である。
【図４】図３の作用説明図である。
【図５】本発明の実施の形態３に係る小物食器かごを備えた食器洗浄乾燥機の要部の説明図である。
【図６】図５の小物食器かごとその駆動手段の説明図である。
【図７】本発明の実施の形態４に係る小物食器かごを備えた食器洗浄乾燥機の要部の説明図である。
【図８】図７の作用説明図である。
【図９】本発明の実施の形態５に係る食器洗浄乾燥機の小物食器かごの説明図である。
【図１０】図９の作用説明図である。
【図１１】本発明の実施の形態６に係る食器洗浄乾燥機の小物食器かごの説明図である。
【図１２】図１１の作用説明図である。
【図１３】実施の形態６の他の例の説明図である。
【図１４】本発明の実施の形態７に係る食器洗浄乾燥機の小物食器かごの説明図である。
【図１５】図１４の作用説明図である。
【符号の説明】
【００５１】
１  洗浄槽、２  貯水槽、３  ヒータ、４  洗浄ノズル、５  食器かご、７  食器類、８  小物食器かご、９  突片、１０  仕切り桟、１１  モータ（駆動手段）、１５  小物食器、２１  可動枠、２２  可動中敷、３０  形状記憶合金（感温部材）、３０ａ  側板（感温部材）。
【図１】
2008228889.tif 000003
【図２】
2008228889.tif 000004
【図３】
2008228889.tif 000005
【図４】
2008228889.tif 000006
【図５】
2008228889.tif 000007
【図６】
2008228889.tif 000008
【図７】
2008228889.tif 000009
【図８】
2008228889.tif 000010
【図９】
2008228889.tif 000011
【図１０】
2008228889.tif 000012
【図１１】
2008228889.tif 000013
【図１２】
2008228889.tif 000014
【図１３】
2008228889.tif 000015
【図１４】
2008228889.tif 000016
【図１５】
2008228889.tif 000017